(57)【特許請求の範囲】
【請求項１】
信号の書き込みが可能なディスクと、前記ディスクを収容する円盤状のディスクケースとを備えており、
前記ディスクケースが、これの周囲壁の部分において上下に分割される一対の半ケース体を蓋合わせ状に結合してなるディスクカートリッジであって、
前記半ケース体は、概略円形の主面壁と、前記主面壁の周縁に沿って突設されて前記周囲壁が上下に分割された周壁とを一体に備えており、
前記周壁には前記ディスクを前記ディスクケースに出し入れするための出入口が開口され、前記出入口に臨む前記主面壁の周縁から前記主面壁の面壁中央にわたって信号読み書きヘッド用のヘッド窓と、駆動軸用の進入口とが連続状に開口形成されており、
蓋合わせ状に結合した状態における上下一対の半ケース体が、互いに点対称関係となる同一のケース部品で形成されるようにしたことを特徴とするディスクカートリッジ。
【請求項２】
前記ディスクが前記出入口から抜け出すのを防ぐ左右一対のストッパーと、誤消去防止用の左右一対の規制片と、誤装填防止用の左右一対の位置決め部とが、前記ディスクケースに設けられており、
個々の半ケース体の前記周壁に、１個のストッパーと、１個の規制片と、１個の位置決め部とがそれぞれ一体に形成されていて、蓋合わせ状に結合した状態における上下一対の半ケース体が、互いに点対称関係となるように形成されている請求項１記載のディスクカートリッジ。
【発明の詳細な説明】
【０００１】
【発明の属する技術分野】
この発明は、光ディスクや光磁気ディスクに代表されるディスクと、ディスクを出し入れ可能に収容するディスクケースとを備えているディスクカートリッジに関する。
【０００２】
【従来の技術】
ディスクケースにディスクを出し入れできるディスクカートリッジは、例えば特開平１０−１４４０３１号公報に公知である。そこでは、四角形状のディスクケースに収容したディスクをホルダーごと出し入れできるようにしている。特開平８−２４４８７１号公報には、ディスクケースの上壁と下壁とにそれぞれ駆動軸用の進入口とヘッド窓とを設け、ヘッド窓側のケース周壁にディスクを出し入れするための出入口を有するディスクカートリッジが開示されている。このディスクカートリッジにおいては、ディスクをディスクケースごとディスクドライブに差し込み装填した後、ディスクケースのみを抜き出す。ディスクを取り出す際には、再びディスクケースをディスクドライブに再装填して、ディスクをディスクケースに収容した状態で取り出すようになっている。
【０００３】
【発明が解決しようとする課題】
上記のようにディスクをディスクケースから抜き取って、信号を読み書きする形態のディスクカートリッジにおいて、本発明者は、ディスクケースの薄形化とコンパクト化を図ることを検討している。そこでは、ディスクケースの全体を円盤状に形成し、矩形状のケースにおいて避けられない、ケース四隅部の三角形状のデッドスペースを排除し、ディスクカートリッジの全体をコンパクト化することを狙っている。この種ディスクカートリッジにおいては、先の例と同様に、ディスクケースの上壁と下壁とにそれぞれヘッド窓と駆動軸用の進入口とを開口し、ヘッド窓側のケース周壁にディスクを出し入れするための出入口を開口し、更に出入口からのディスクの抜け出しを防ぐための落下防止手段や、表裏双方の信号記録面用の誤消去防止手段、およびディスクドライブに装填するときの位置決め手段などを設けることも予定している。
【０００４】
この発明の目的は、ディスクケースが上下一対の半ケース体で構成されているディスクカートリッジにおいて、上下の半ケース体を同一部品化し、以てディスクカートリッジこれ全体の製作コストの削減化を図ることにある。この発明の他の目的は、円盤状に形成されるディスクケースのコンパクトさを損なうことなく、落下防止手段、誤消去防止手段、および位置決め手段などを設けることができ、しかもディスクケースの構造の簡素化を実現できるディスクカートリッジを提供することにある。
【０００５】
【課題を解決するための手段】
この発明のディスクカートリッジは、図１および図２に示すごとく、信号の書き込みが可能なディスク１と、ディスク１を収容する円盤状のディスクケース２とを備えている。ディスクケース１は、これの周囲壁８の部分において上下に分割される一対の半ケース体２ａ・２ｂを蓋合わせ状に結合してなる。半ケース体２ａ・２ｂは、概略円形の主面壁６・７と、主面壁６・７の周縁に沿って突設されて前記周囲壁８が上下に分割された周壁８ａ・８ｂとを一体に備えている。周壁８ａ・８ｂには、ディスク１をディスクケース２に出し入れするための出入口１３が開口され、この出入口１３に臨む主面壁６・７の周縁から該主面壁６・７の面壁中央にわたって信号読み書きヘッド用のヘッド窓１１と、駆動軸用の進入口１０とが連続状に開口形成されている。以て、蓋合わせ状に結合した状態における上下一対の半ケース体２ａ・２ｂが、互いに点対称関係となる同一のケース部品で形成されるようにしたことを特徴とする。
【０００６】
具体的には、ディスク１が前記出入口１３から抜け出すのを防ぐ左右一対のストッパー１４と、誤消去防止用の左右一対の規制片２１と、誤装填防止用の左右一対の位置決め部９とが、ディスクケース２に設けられており、個々の半ケース体２ａ・２ｂの周壁８ａ・８ｂに、１個のストッパー１４と、１個の規制片２１と、１個の位置決め部９とがそれぞれ一体に形成されていて、蓋合わせ状に結合した状態における上下一対の半ケース体２ａ・２ｂが、互いに点対称関係となるように形成されている。
【０００７】
【発明の作用効果】
この発明では、ディスクケースが従来の四角形状と異なり円盤状に形成されているので、その分だけ全体のコンパクト化を実現できる。また、ディスクケースが、互いに点対称の関係にあって、同一のケース部品からなる上下一対の半ケース体を蓋合わせ状に結合して形成されているので、上下の半ケース体をそれぞれ構造が異なる専用のケース部品として形成する場合に比べて、ディスクカートリッジの構成部品点数を減少できるうえ、成形用金型の製作に要する費用も節約できる。ディスクは、ディスクケースの周壁に設けた出入口から出し入れできる。ディスクケースの主面壁に設けたヘッド窓と進入口とは、ディスクをディスクドライブに装填する際に、信号読み書きヘッド用や、駆動軸がディスクケースと接当干渉するのを避けるために設けられる。
【０００８】
ディスクの抜け出しを防ぐ左右一対のストッパーと、誤消去防止用の一対の規制片と、誤装填防止用の左右一対の位置決め部とのそれぞれが、各半ケース体の周壁の対称位置に１個ずつ形成されていると、上下の半ケース体の点対称関係を維持しながら、両半ケース体を同一のケース部品として構成でき、落下防止機能と、誤装填防止機能と、位置決め機能とを備えたディスクカートリッジの全体コストを削減し、製品単価の低コスト化に一層有利となる。
【０００９】
【実施例】
図１ないし図６はこの発明に係るディスクカートリッジの実施例を示す。図２および図３においてディスクカートリッジは、上下両面のそれぞれに信号記録面を有するディスク１と、このディスク１を収容する円盤状のディスクケース２とからなる。ディスク１は、これの中央に上下貫通状のクランプ口３を有し、その外周囲にリング状の突部４を上下面に突設してあり、この各突部４の外側周縁の非記録部と、ディスク１の外周縁の非記録部との間が信号記録領域５になっている。
【００１０】
ディスクケース２は、ほぼ円形に形成された上下の主面壁６・７と、これら両主面壁６・７間にあってディスクケース２の外周側面を塞ぐ周囲壁８とを有し、この周囲壁８で上下に分割された上下一対の半ケース体２ａ・２ｂどうしを蓋合わせ状に接合し、接合面どうしを溶着して構成してある。すなわちディスクケース２の周囲壁８は、上側の半ケース体２ａの周壁８ａと下側の半ケース体２ｂの周壁２ｂとに二分されている。周囲壁８の前部には、ディスク１を出し入れするための出入口１３が開口している。
【００１１】
出入口１３に臨む上下の主面壁６・７の外周縁から、主面壁６・７の面壁中央にわたって信号読み書きヘッド用のヘッド窓１１と、ディスクドライブ側の駆動軸の進入を許す進入口１０とが連続状に開口するよう形成してある。これらの両開口１０・１１によって分断された両主面壁６・７は、それぞれＣ字状の外観を呈することになる。両主面壁６・７の内面には、ディスクケース２の内部に収容したディスク１の盤面の傷付きを塞ぐ座部１２が上下対向状に設けられている。図５において座部１２は、先の進入口１０の開口周縁に沿って突出形成してあり、その外周縁はディスク１の信号記録領域５の最内縁より径方向内側に位置する。上下の座部１２でディスク１の上下面の突部４を受け止め支持することにより、ディスク１の盤面が主面壁６・７の内面と直接に擦れ合って傷付くのが防止されている。座部１２は、進入口１０の内周縁の厚み寸法を増して、進入口１０を補強することにも役立っており、とくに出入口１３の前端に作用する曲げモーメントに対して、効果的に補強作用を発揮する。
【００１２】
出入口１３の開口両側の左右対称位置には、それぞれディスク１の抜け出しを塞ぐ一対のストッパー１４を有する。一対のストッパー１４・１４は、上下の半ケース体２ａ・２ｂに１個ずつ設けられており、各半ケース体２ａ・２ｂの周壁８ａ・８ｂと一体に形成するが、図２に示すように上下の主面壁６・７とはスリット１５を介して分離されていて、ディスクケース２にディスク１を出入口１３から出し入れする際には、ケース外側方へ向かって弾性変形できる（図６参照）。この弾性変形動作を確実化するために、ストッパー１４の基端外面に凹部１６を設けて、凹部１６におけるストッパー１４の曲げ変形抵抗を小さくしてある。左右のストッパー１４の対向間隔は、ディスク１の直径寸法より僅かに小さく設定してあり、従ってディスクカートリッジの取り扱い時に、ディスク１が自重で出入口１３から不用意に抜け出ることはない。
【００１３】
ストッパー１４より後ろ側のケース壁の左右対称位置には、一対の各位置決め部９が切り欠き形成されている。図２に示すように、これらの位置決め部９は、各半ケース体２ａ・２ｂの左右いずれか一側に形成してあり、ディスクカートリッジの装填方向と平行な規制壁面を備えている。ディスクカートリッジを装填する際に、両位置決め部９で上下に挟まれる周壁部がディスクドライブのガイド溝に嵌まり込んで位置決めされる。従ってディスクカートリッジの装填方向が間違っている場合には、差し込み途中にディスクケース２が先のガイド溝で受け止められ、それ以上差し込めないようになっている。
【００１４】
ディスクカートリッジは、出入口１３が開口する側を装填始端にしてディスクドライブに装填する。この装填方向を明確化し、さらに手触りだけでも装填方向を特定できるようにするために、上下の半ケース体２ａ・２ｂの主面壁６・７には、装填方向の後端縁に装填指標部１７を設ける。詳しくは、図２に示すように、両主面壁６・７の後端の外面に、コ字状の浅い凹みを設けて装填指標部１７とし、その表面に左右横長の複数個のリブ１８が設けられている。リブ１８は、装填指標部１７の横長の辺部と平行に形成されていて、テープカートリッジの装填方向と直交している。
【００１５】
ディスク１に記録した信号が誤って書き換えられるのを防ぐために、各半ケース体２ａ・２ｂの周壁８ａ・８ｂを利用して左右一対の誤消去防止手段を設ける。この誤消去防止手段は、出入口１３と対向する周囲壁８において、その外面の左右２個所の対称位置に凹み形成した凹部２０と、この凹部２０を覆う部分円弧状の規制片２１とからなる。規制片２１は、上下の半ケース体２ａ・２ｂにおける凹部２０の周方向一端から他端へ向かって片持ち梁状に突設する。規制片２１の上下幅は、各半ケース体２ａ・２ｂの周壁８ａ・８ｂの上下厚みより大きく形成することにより、両半ケース体２ａ・２ｂを接合した状態において接合相手側の凹部２０ａの外面を同時に覆うようにしてある（図２参照）。
【００１６】
規制片２１の突端が臨む隙間にコイン等を差し込んでケース外方へこじることにより、図３の想像線で示すように規制片２１をその基端部付近から折り取って除去でき、規制片２１の有無で信号書き込みの可否を判別できる。詳しくは、規制片２１を折り取った状態では、ディスクドライブの検出体が凹部２０内へ進入して、信号書き込みが禁止状態であることを検知する。規制片２１が検出体を受け止めて、凹部２０内への進入を阻止する場合には、信号の書き込みが可能状態であることを検知する。両規制片２１・２１のうち片方は、ディスク１の上面への信号の書き込みの可否を判別するために使用され、他方はディスク１の下面への信号書き込みの可否を判別するために使用される。なお、ディスクドライブによっては、ディスク１をディスクケース２ごとローディングして、信号の読み書きを行うことがあるが、この場合に備えてディスクケース２には先の誤消去防止手段を設けてある。
【００１７】
以上のように、この発明のディスクカートリッジでは、図４に示すように各半ケース体２ａ・２ｂが、概略円形の主面壁６・７と、主面壁６・７の周縁に沿って突設される周壁８ａ・８ｂとで構成されている。各周壁８ａ・８ｂには出入口１３を形成し、出入口１３に臨む主面壁６・７の周縁から面壁中央にわたって、信号読み書きヘッド用のヘッド窓１１と、駆動軸用の進入口１０とが開口形成されている。さらに、個々の半ケース体２ａ・２ｂの周壁８ａ・８ｂには、１個のストッパー１４と、１個の規制片２１と、１個の位置決め部９をそれぞれ一体に形成して、両半ケース体２ａ・２ｂを蓋合わせ状に結合した状態において、一対の半ケース体２ａ・２ｂが互いに点対称関係となるようにし、上下の半ケース体２ａ・２ｂを同一のケース部品とした点に特長を有する。
【００１８】
半ケース体２ａ・２ｂにおける上下の周壁８ａ・８ｂは、基本的にディスクケース２の周囲壁８の上下中央部分で分割するが、図１に示すようにストッパー１４、規制片２１、および位置決め部９と上下に対向する個所においては、分割面が各主面壁６・７に近づくように周壁８ａ・８ｂを切り欠いて、ストッパー１４、規制片２１、および位置決め部９の上下寸法を十分に確保できるようにしてある。
【００１９】
上記の実施例以外に、ストッパー１４は主面壁６・７側に形成してもよく、その場合には一対のストッパー１４が点対称の関係となるように、各主面壁６・７にストッパー１４を配置する。同様に、規制片２１は主面壁６・７の側に形成して、規制片２１をディスクケース２の厚み方向に折り取る構造とすることができる。
【図面の簡単な説明】
【図１】分解斜視図である。
【図２】斜視図である。
【図３】一部切り欠き平面図である。
【図４】半ケース体の内部形状を示す平面図である。
【図５】図３におけるＡ−Ａ線断面図である。
【図６】ストッパー構造を示す平面図である。
【符号の説明】
１  ディスク
２  ディスクケース
２ａ  上側の半ケース体
２ｂ  下側の半ケース体
６  主面壁
７  主面壁
８  周囲壁
８ａ  周壁
８ｂ  周壁
９  位置決め部
１０  進入口
１１  ヘッド窓
１３  出入口
１４  ストッパー
２１  規制片
【図１】
0004416353.tif 000002
【図２】
0004416353.tif 000003
【図３】
0004416353.tif 000004
【図４】
0004416353.tif 000005
【図５】
0004416353.tif 000006
【図６】
0004416353.tif 000007